【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
画像を投射する画像投射部を備える装置本体と、
前記装置本体が有する通気用の開口部を開閉するシャッターと、
前記シャッターを駆動するシャッター駆動部と、
前記シャッターの開閉状態を検出する開閉検出部と、
前記装置本体を動作停止させる場合、前記シャッター駆動部により前記シャッターを閉じる制御を行い、前記開閉検出部により前記シャッターが閉じたか否かを検出させ、閉じていない場合には前記シャッターを閉じる制御をリトライし、リトライしても閉じない場合にエラー処理を行い、前記エラー処理の後に前記装置本体を起動可能な状態に移行させる制御部と、
を備えることを特徴とする投射型表示装置。
【請求項２】
前記装置本体は、前記開口部に通気させるファンを有し、
前記制御部は、前記装置本体を動作停止させる場合、前記画像投射部及び前記ファンの駆動を停止させた後に、前記シャッターを閉じる制御を行うことを特徴とする請求項１に記載の投射型表示装置。
【請求項３】
前記シャッターは、ソレノイドの駆動により開閉し、
前記シャッター駆動部は、前記ソレノイドに通電して前記シャッターを閉駆動させることを特徴とする請求項１又は２に記載の投射型表示装置。
【請求項４】
前記シャッターは、前記シャッターを閉側に付勢する付勢部材を有し、
前記シャッター駆動部は、前記付勢部材の付勢力によって前記シャッターを閉じることを特徴とする請求項３に記載の投射型表示装置。
【請求項５】
前記装置本体は、防塵するフィルターにより覆われる吸気口と、前記シャッターが閉じられることにより閉じられる前記開口部となる排気口と、を有することを特徴とする請求項１乃至４のいずれか一項に記載の投射型表示装置。
【請求項６】
前記制御部は、予め規定された回数だけ前記シャッターを閉じる制御をリトライし、前記回数を超えた場合に前記エラー処理を行うことを特徴とする請求項１乃至５のいずれか一項に記載の投射型表示装置。
【請求項７】
前記制御部は、前記エラー処理の発生をエラー情報として報知することを特徴とする請求項１乃至６のいずれか一項に記載の投射型表示装置。
【請求項８】
画像を投射する画像投射部を備える装置本体と、前記装置本体が有する通気用の開口部を開閉するシャッターと、前記シャッターを駆動するシャッター駆動部と、前記シャッターの開閉状態を検出する開閉検出部とを備える投射型表示装置の制御方法において、
前記装置本体を動作停止させる場合、前記シャッター駆動部により前記シャッターを閉じる制御を行い、前記開閉検出部により前記シャッターが閉じたか否かを検出させ、閉じていない場合には前記シャッターを閉じる制御をリトライし、リトライしても閉じない場合にエラー処理を行い、前記エラー処理を行った後に前記装置本体を起動可能な状態に移行させることを特徴とする投射型表示装置の制御方法。
【手続補正２】
【補正対象書類名】明細書
【補正対象項目名】００２３
【補正方法】変更
【補正の内容】
【００２３】
この排気口シャッター３２には、カムプレート３３Ｃをシャッター閉側に付勢する付勢部材（本実施形態では、引張コイルばね）３３Ｓが設けられ、この付勢部材３３Ｓによって排気口シャッター３２を確実に閉じた状態に保持できるようになっている。
ソレノイド３３Ｄは、キープソレノイド型（自己保持形とも言う）のソレノイドである。排気口シャッター駆動部４９により、付勢部材３３Ｓの付勢力に抗してカムプレート３３Ｃがソレノイド３３Ｄ側に引っ張られることにより、排気口シャッター３２が開駆動され（ソレノイドの吸引動作）、内蔵する永久磁石の起磁力によりソレノイド３３Ｄがカムプレート３３Ｃを吸着することで、排気口シャッター３２が開いた状態に保持される（ソレノイドの吸着動作）。
また、このソレノイド３３Ｄは、排気口シャッター駆動部４９により、内蔵する永久磁石の起磁力を打ち消すコイルによる逆向きの起磁力により復旧することで、排気口シャッター３２を閉駆動する（ソレノイドの復旧動作）。
なお、この排気口シャッター３２の開閉を検出する開閉検出部５０は、排気口シャッター３２の板状部材３３Ｅに取り付けられ、上記カムプレート３３Ｃの位置に応じて開閉するスイッチ機構で構成されている。
【手続補正３】
【補正対象書類名】明細書
【補正対象項目名】００２４
【補正方法】変更
【補正の内容】
【００２４】
図６は、ソレノイド３３Ｄを周辺構成と共に示す図である。
図６に示すように、ソレノイド３３Ｄには、＋制御線ＬＰ及び−制御線ＬＮからなる２本の制御線が接続され、制御部４４が、各制御線ＬＰ，ＬＮへの電圧及び電圧の印加方向を変えることによってソレノイド３３Ｄが作動し、排気口シャッター３２が開閉駆動される。
開閉検出部５０には、カムプレート３３Ｃに設けられた出っ張り部分３３Ｃ１（図６参照）が接触することにより、スイッチ機構がオン／オフされる。より具体的には、排気口シャッター３２が開いている場合に開閉検出部５０がオン状態となり、この開閉検出部５０につながる配線の電位がＨレベルとなり、排気口シャッター３２が完全に閉じると、開閉検出部５０がオフ状態となり、配線の電位がＬレベルとなる。
制御部４４は、この配線の信号を検出信号ＳＫとして入力し、この検出信号ＳＫの信号レベルに応じて排気口シャッター３２が開いているか、或いは、閉じているかを検出することができる。
【手続補正４】
【補正対象書類名】明細書
【補正対象項目名】００２６
【補正方法】変更
【補正の内容】
【００２６】
図７は、起動時シャッター制御を示すフローチャートである。
この制御を説明する前に、前提として、このプロジェクター１０では電源オフ時に排気口シャッター３２を閉駆動し、非使用時は排気口シャッター３２を閉じるようにしている。なお、この電源オフ時の排気口シャッター３２の閉駆動は、後述する動作停止時シャッター制御（電源オフシャッター制御）に記載している。
また、以下の説明において、排気口シャッター駆動部４９とそれ以外の駆動部４２〜４８を特に区別して説明する場合は、それ以外の駆動部４２〜４８を、まとめて駆動部Ｋ１（図２中、一点鎖線で囲って示す）と表記し、この駆動部Ｋ１の駆動対象を、まとめて被駆動部Ｋ２（図中、二点鎖線で囲って示す）と表記する。
【手続補正５】
【補正対象書類名】明細書
【補正対象項目名】００２８
【補正方法】変更
【補正の内容】
【００２８】
ここで、排気口シャッター３２が正常に動作していれば、排気口シャッター３２が閉じているはずであり、排気口シャッター３２が閉じている場合には（ステップＳ２Ａ：ＹＥＳ）、制御部４４は、排気口シャッター駆動部４９により排気口シャッター３２を開駆動させる（ステップＳ３Ａ）。
このステップＳ３Ａでは、制御部４４は、排気口シャッター駆動部４９によって＋制御線ＬＰをＨレベルにしてソレノイド３３Ｄへ通電開始することによって、ソレノイド３３Ｄの吸引動作を開始させ、所定時間（本構成では２００ｍｓｅｃ）だけ待機した後に、＋制御線ＬＰをＬレベルに切り換えてソレノイド３３Ｄへの通電を停止する。
ここで、待ち時間を設けるのは、ソレノイド３３Ｄの吸引動作に十分な時間を確保し、排気口シャッター３２の開駆動に十分な時間を稼ぐためである。
【手続補正６】
【補正対象書類名】明細書
【補正対象項目名】００３１
【補正方法】変更
【補正の内容】
【００３１】
続いて、制御部４４は、リトライ回数（「起動時シャッター制御」開始後におけるシャッター閉駆動のリトライ回数）が規定回数以下（本実施形態では２回以下）であれば（ステップＳ６Ａ：ＹＥＳ）、ステップＳ２Ａの処理へ移行する。
このため、リトライによって排気口シャッター３２が閉じれば（ステップＳ２Ａ：ＹＥＳ）、排気口シャッター３２の開駆動が行われ（ステップＳ３Ａ）、排気口シャッター３２が開けば（ステップＳ４Ａ：ＹＥＳ）、排気口シャッター３２の正常動作が確認できるため、復旧したと判断でき、制御部４４は当該制御を終了し、プロジェクター１０を起動させて正常動作させる。
【手続補正７】
【補正対象書類名】明細書
【補正対象項目名】００３５
【補正方法】変更
【補正の内容】
【００３５】
なお、このプロジェクター１０がネットワーク端子を有し、このネットワーク端子を介して外部機器（パーソナルコンピューター）１８などにつながっていた場合には、エラー処理として、４）エラー情報を記述した電子メールやエラー信号を、外部機器に通知する通知処理を行うようにしてもよい。また、本実施形態では、被駆動部Ｋ２の起動処理に先立って、この「起動時シャッター制御」を行う場合を説明したが、被駆動部Ｋ２の起動処理と並行して「起動時シャッター制御」を行ってもよい。並行して行う場合には、排気口シャッター３２に異常があれば、エラー処理として、被駆動部Ｋ２を直ちに駆動停止させることが望ましい。
【手続補正８】
【補正対象書類名】明細書
【補正対象項目名】００３７
【補正方法】変更
【補正の内容】
【００３７】
この場合、制御部４４は、上記した１）〜４）の各エラー処理を行うことによって、エラーを報知し、かつ、排気口シャッター３２が開かないままプロジェクター１０の各部を動作させてしまう事態を確実に回避する。
なお、この排気口シャッター３２を開駆動できない場合のエラー処理では、排気口シャッター３２を開駆動できないエラー状態を示すエラー情報が、エラー履歴として残される。また、この場合のインジケーターランプ３６の駆動を、閉駆動できない場合の駆動態様と異なる駆動態様（例えば、赤点滅の点滅間隔を変更する）にしてもよい。
このように、制御部４４は、排気口シャッター３２を閉駆動できない場合や開駆動できない場合に、シャッター３２を動作させるリトライ制御を行い、それでも復旧できない場合に、エラー処理を実行させる。このエラー処理を行った後は、所定時間が経過すると、制御部４４がプロジェクター１０全体を駆動停止させる。これによって、排気口シャッター３２の異常が復旧できない状態で、プロジェクター１０が起動する事態を回避することができる。以上が「起動時シャッター制御」である。
【手続補正９】
【補正対象書類名】明細書
【補正対象項目名】００４１
【補正方法】変更
【補正の内容】
【００４１】
このため、プロジェクター１０の起動後に、排気口シャッター３２が不具合で開いていない状態の回数が規定回数を超えると、直ちにエラー処理によりユーザーなどに報知され、かつ、プロジェクター１０が動作停止される。これにより、通常動作時のシャッター異常は、直ちにユーザーなどに通知され、かつ、内部温度の上昇を回避することができる。
【手続補正１０】
【補正対象書類名】明細書
【補正対象項目名】００４７
【補正方法】変更
【補正の内容】
【００４７】
以上説明したように、制御部４４は、プロジェクター１０を動作停止する場合（装置本体１２を動作停止する場合）、排気口シャッター３２を閉じる制御を行い、排気口シャッター３２が閉じたか否かを検出し、閉じていない場合に、排気口シャッター３２を閉じる制御をリトライし、リトライしても閉じない場合に、エラー処理を行い、エラー処理を行った後に装置本体１２を起動可能なスタンバイ状態に移行させるので、動作停止時に排気口シャッター３２の異常を確認し、リトライしてもシャッター異常が復旧できない場合にだけエラー処理を実行でき、復旧できる場合にまでエラー処理を実行する事態を回避でき、異常に対応する処理を適切に実行することができる。
【手続補正１１】
【補正対象書類名】明細書
【補正対象項目名】００４８
【補正方法】変更
【補正の内容】
【００４８】
しかも、本構成では、エラー処理を行った後に起動可能なスタンバイ状態に移行するので、排気口シャッター３２が閉じないエラーを報知した場合であっても、プロジェクター１０を起動させることができる。
上記したように、本構成のプロジェクター１０は防塵プロジェクターであるため、不使用時に排気口シャッター３２が閉じないという防塵上、不利なエラーを放置することは望ましくない一方で、このエラーは、プロジェクター１０の起動や動作には特に悪影響を与えないものである。上記構成により、本願発明では、排気口シャッター３２が閉じないエラーをユーザーなどに確実に報知しながら、プロジェクター１０を起動して使用可能にすることができる。
なお、本構成では、起動時には、「起動時シャッター制御」が行われるので、起動時に排気口シャッター３２の開閉状態の異常が確認され、復旧できた場合にプロジェクター１０を起動して使用することが可能となる。従って、プロジェクター１０の起動時までに、或いは、起動時点に排気口シャッター３２が正常動作すれば、このプロジェクター１０を通常使用することが可能になり、起動時も正常動作しなければ、正常動作しない状態でプロジェクター１０が動作する事態を回避することができる。
【手続補正１２】
【補正対象書類名】明細書
【補正対象項目名】００５０
【補正方法】変更
【補正の内容】
【００５０】
また、制御部４４は、プロジェクター１０の起動時（装置本体１２の起動時）、画像投射部２１の駆動を開始する前に、排気口シャッター３２が閉まっているか否かを判定し、閉まっていない場合に、排気口シャッター３２を閉動作させるリトライ制御を行い、閉まらなければエラー処理を行い、また、閉動作すれば、排気口シャッター３２を開駆動し、開かない場合に、排気口シャッター３２を開動作させるリトライ制御を行い、開かなければエラー処理を行う。
すなわち、本構成では、起動時に排気口シャッター３２の開閉状態が異常か否かを判定し、異常と判定した場合に、リトライ制御を行い、シャッター３２が正常に動作しなければエラー処理を行い、シャッター故障をユーザーなどに報知している。
このため、起動時に排気口シャッター３２の異常を確認し、リトライしてもシャッター異常が復旧できない場合にだけエラー処理を実行でき、復旧できる場合にまでエラー処理を実行する事態を回避でき、異常に対応する処理を適切に実行することができる。
【手続補正１３】
【補正対象書類名】明細書
【補正対象項目名】００５２
【補正方法】変更
【補正の内容】
【００５２】
また、制御部４４は、装置本体１２の起動時、画像投射部２１及び冷却ファン３１の駆動を開始する前に、排気口シャッター３２の開閉状態が異常か否かを判定するので、発熱や冷却に関わる部分の駆動を開始する前にシャッター異常か否かを判定でき、これによっても内部温度が高くなってしまう事態を回避でき、また、排気口シャッター３２が閉じた状態でファン駆動してしまう事態を回避できる。
さらに、制御部４４は、起動時に排気口シャッター３２が閉まっていない場合に排気口シャッター３２を閉じる制御をリトライし、リトライしても閉じない場合にエラー処理を行うので、塵や虫が侵入し易い状態を放置する事態を回避できる。